(57)【要約】      （修正有）【課題】共振周波数の調整を容易かつ確実に行うことができ、ハイパワーかつ安定した磁界伝播を行うことが可能な送信用アンテナを提供すること。【解決手段】送信用アンテナ１００は、磁性体コア１と、磁性体コア１に巻回されるコイル１１と、端子を植設した樹脂成形体からなる端子ベースと、コイル１１に直列接続されるコンデンサと、磁性体コア１との相対位置の変化により磁気結合度を調整可能にするよう配置された調整用磁性体コア（第１のネジコア４ａ，第２のネジコア４ｂ）とを備えている。端子ベースは、第１のベース２と第２のベース３とに分割され、コンデンサは、第１のベース２に搭載され、調整用磁性体コア（第１のネジコア４ａ，第２のネジコア４ｂ）は、円筒形状の外周面をネジ状としており、螺合回転によって移動可能に第２のベース３に設けられた孔部（第１の孔部５ａ，第２の孔部５ｂ）に保持される。【選択図】図１
2008022056.tif 000002
【特許請求の範囲】
【請求項１】
磁性体コアと、
前記磁性体コアに巻回されるコイルと、
端子を植設した樹脂成形体からなる端子ベースと、
前記コイルに直列接続されるコンデンサと、
前記磁性体コアとの相対位置の変化により磁気結合度を調整可能にするよう配置された調整用磁性体コアとを備えた送信用アンテナにおいて、
前記端子ベースは、前記磁性体コアの一方の端部に設けられた第１のベースと、前記磁性体コアの他方の端部に設けられた第２のベースとに分割され、
前記コンデンサは、前記第１のベースに搭載され、
前記調整用磁性体コアは、円筒形状の外周面をネジ状としており、螺合回転によって移動可能に前記第２のベースに設けられた孔部に保持されることを特徴とする送信用アンテナ。
【請求項２】
前記孔部は、前記第２のベースに複数形成されており、少なくとも１つ以上の前記孔部に前記調整用磁性体コアが螺合されて、保持されていることを特徴とする請求項１に記載の送信用アンテナ。
【請求項３】
請求項１又は２に記載の送信用アンテナを備えたことを特徴とする
キーレスエントリシステム。
【発明の詳細な説明】
【技術分野】
【０００１】
本発明は、例えば信号電波を送受信する場合に好適に用いられる送信用アンテナ及びキーレスエントリシステムに関するものである。
【背景技術】
【０００２】
近年、例えば、信号電波を送受信することによって、自動車や家屋等のドアに直接触れることなく施錠したり、開錠したりすることが可能なキーレスエントリシステムが実用化されている。そして、キーレスエントリシステムを実現するために、信号電波を送受信できるアンテナコイルが多く採用されている。
【０００３】
従来の送信用アンテナは、磁性体コアと、磁性体コアに巻かれたアンテナコイルと、アンテナコイルに直列接続されたコンデンサとで共振回路を構成するものである。この共振回路から得られる共振周波数に対応する交流電流を送信用アンテナに印加すると、磁界が発生し、発生した磁界を大気中へ伝播することができる。そして、内部に送受信アンテナを内蔵したリモートコントロール装置を持つユーザが、送信用アンテナで発生する磁界伝播範囲に入る、又は磁界伝播範囲から出ることを契機として、リモートコントロール装置が作動し、自動車や家屋等のドアを施錠したり、開錠したりすることができる。
【０００４】
また、近年、送信用アンテナのハイパワー化（すなわち、キーレスエントリシステムにおける送受信範囲の拡大や、信号送受信特性の改善等）が求められている。このため、送信用アンテナに備えられるコイルに大電流を印加して、強力な磁界を発生させる必要がある。
【０００５】
ここで、送信用アンテナに備えられたコイルに大電流を印加する場合の共振周波数：ｆ０とインピーダンス：Ｚについて次式（１），（２）を参照して説明する。
共振周波数：ｆ０＝１／２π√（Ｌ×Ｃ）…式（１）
インピーダンス：Ｚ＝√［Ｒ２＋{２πｆＬ−（１／２πｆＣ）}２］…式（２）
【０００６】
コイルに大電流を印加する場合、送信用アンテナの共振周波数を維持しつつ発熱を抑制するためには、少なくとも送信用アンテナが使用する周波数帯域におけるインピーダンスを低くする必要がある。インピーダンスを低くするためには、送信用アンテナに内蔵するコンデンサの容量値を大きくすることが最も経済的であり、かつ容易である。つまり、式（１）より、共振周波数の値を一定とし、コンデンサ：Ｃの容量を増加させれば、インダクタンス：Ｌを低くすることができるとともに、導線の巻き数を少なくすることができるため、コイルの直流抵抗：ＤＣＲが低くなる。このことを、式（２）を用いて説明すれば、共振周波数において２πｆＬ−（１／２πｆＣ）は０となることから、インピーダンス：ＺはＲの値にのみ起因することとなり、結果として、インピーダンス：Ｚを低くすることになる。
【０００７】
特許文献１には、巻線が巻きつけられたコアを備えたアンテナコイルと、巻線を介してアンテナコイルに接続され直列共振回路を形成するコンデンサとを備えた送信用アンテナについての記載がある。この送信用アンテナでは、インダクタンス値を調整可能なネジコアのねじ込み量を調整することで、共振周波数の設定が行われている。
【特許文献１】特許第３７３５１０４号公報
【発明の開示】
【発明が解決しようとする課題】
【０００８】
ところで、キーレスエントリシステムを安定して作動させるためには、送信用アンテナに、特定の共振周波数に対応する電流を印加し、磁界を伝播させることが必要となる。しかしながら、送信用アンテナを構成するインダクタやコンデンサの品質は、製品個々にバラつきがある。インダクタ、コンデンサ及び送信用アンテナの品質のバラつきは、必要な特定の共振周波数にずれが生じる要因となる。この結果、共振周波数におけるアンテナコイルへ印加可能な電流が減少して、磁界伝播範囲が不安定となる恐れがある。このように磁界伝播範囲が不安定となると、キーレスエントリシステムで必要な送信用アンテナとリモートコントロール装置との通信距離が短くなる等の不具合が生じてしまう。
【０００９】
また、コンデンサ素子の容量が大きくなると、該コンデンサ素子自体のサイズも大きくなる。共振周波数が一定で、容量が大きなコンデンサ素子を用いる場合、コイルの巻き数を減らして、インダクタンスを低くする。しかしながら、コイルの巻き数を減らした分だけ、発生する磁界や磁束強度が低下してしまう。このため、磁性体コアとの磁気結合によって、特性の調整を行うにあたり、調整用のネジコアを１つ用いる程度では、インダクタンスや発生する磁界、磁束の調整範囲は小さくなってしまう。したがって、共振周波数を調整するためには、ネジコアのサイズを大きくするか、ネジコアを複数個用いる必要がある。
【００１０】
また、特許文献１に記載された送信用アンテナの構造を採用したとしても、端子が植設された端子ベース自体の強度を保持しつつ、サイズの大きなコンデンサをベースに収納することは困難であった。また、サイズが大きい調整用のネジコアや、複数のネジコアをベースに収納することも困難であった。
【００１１】
さらに、送信用アンテナの出荷検査においては、作業者が製品個々の共振周波数を一つ一つ調整して検査している。このため、送信用アンテナは、共振周波数を簡単に調整できる構成とすることが望ましい。
【００１２】
本発明は、このような点に鑑みてなされたものであり、サイズや容量の大きなコンデンサを内蔵することが可能であるとともに、共振周波数の調整を容易かつ確実に行うことが可能であり、ハイパワーかつ安定した磁界伝播を行うことができる送信用アンテナを提供することを目的とする。
【課題を解決するための手段】
【００１３】
本発明は、磁性体コアと、磁性体コアに巻回されるコイルと、端子を植設した樹脂成形体からなる端子ベースと、コイルに直列接続されるコンデンサと、磁性体コアとの相対位置の変化により磁気結合度を調整可能にするよう配置された調整用磁性体コアと、から構成され、端子ベースは、磁性体コアの一方の端部に設けられた第１のベースと、磁性体コアの他方の端部に設けられた第２のベースとに分割され、コンデンサは、第１のベースに搭載され、調整用磁性体コアは、円筒形状の外周面をネジ状としており、螺合回転によって移動可能に保持されることを特徴とするものである。
【発明の効果】
【００１４】
本発明によれば、磁性体コアとの相対位置の変化により磁気結合度を調整可能に配置された調整用磁性体コアが、螺合回転によって移動可能に第２のベースに設けられた孔部に保持される。この調整用磁性体コアの位置調整を容易かつ確実に行えるため、ハイパワーかつ安定した磁界伝播を行えることが可能であり、共振周波数を簡単に調整することができるという効果がある。
【発明を実施するための最良の形態】
【００１５】
以下、本発明の一実施の形態例に係る送信用アンテナの構成について、添付図面を参照して説明する。本実施の形態例では、信号電波の送受信によって、自動車や家屋等のドアに直接触れることなく施錠したり、開錠したりすることが可能なキーレスエントリシステムに用いられる送信用アンテナを例に説明する。本発明に係る送信用アンテナは、主にドア側に設置されるものである。
【００１６】
まず、本実施の形態例に係る送信用アンテナの構成例について、図１の斜視図を参照して説明する。
【００１７】
所定の周波数に乗せて信号を送信する送信用アンテナ１００は、フェライト系磁性材料で形成される磁性体コア１を備える。磁性体コア１は扁平の棒状に形成してあり、材質はＭｎ−Ｚｎ系フェライトが用いられる。これは、より強力な磁界や磁束を発生させることで、ハイパワーの送信用アンテナ１００を得るためである。また、磁性体コア１に巻回されるコイル１１には大電流が印加されることから、磁気飽和によるインダクタンスの劣化を防ぐことも目的としている。一般的に、Ｍｎ−Ｚｎ系フェライトの透磁率：μと最大飽和磁束密度：Ｂｍは、従来用いられていたＮｉ−Ｚｎ系フェライトの透磁率：μと最大飽和磁束密度：Ｂｍよりも高い。このため上述した目的を達成できるが、磁性体コアとして用いられるＭｎ−Ｚｎ系フェライトの絶縁抵抗値は、Ｎｉ−Ｚｎ系フェライトの絶縁抵抗値よりも低い。
【００１８】
本実施の形態例においては、コイル１１と磁性体コア１との導通不良を防止するため、磁性体コア１上に非導電性の樹脂やゴム等により図示しない絶縁層を形成している。そして、形成した絶縁層の上に、導線を所望の巻き数で巻回してコイル１１を形成している。なお、磁性体コア１の材質としては、Ｍｎ−Ｚｎ系フェライトに限定されることなく、金属系圧粉磁芯や、アモルファス薄体の積層磁芯等を用いてもよい。
【００１９】
また、送信用アンテナ１００は、非導電性かつ非磁性の樹脂で形成された第１のベース２と第２のベース３を備える。第１のベース２には、コイル１１の端末部を絡げ固定するために後述するハーネス端子（後述の図２参照）が植設される。コイル１１の端末部は、第１のベース２に植設されたハーネス端子に絡げ固定される。また、第１のベース２には、コンデンサを搭載するためのコンデンサ搭載部（後述の図２参照）が形成される。送信用アンテナ１００の側面には、第１のハーネス端子７ａから磁性体コア１まで導線を導くための溝部６ａが形成されている。また、送信用アンテナ１００の上面には、ハーネス端子から磁性体コア１まで導線を導くための溝部６ｂが形成されている。そして、コンデンサ搭載部に搭載されるコンデンサと、コイル１１とを直列接続することで直列共振回路が構成される。
【００２０】
第２のベース３には、第１の孔部５ａと第２の孔部５ｂが形成される。第１の孔部５ａと第２の孔部５ｂは、共振周波数を調整するための調整用磁性体コアである第１のネジコア４ａと第２のネジコア４ｂを収納して固定する。第１の孔部５ａと第２の孔部５ｂの内周面には、断面がほぼ三角形状である突起部（後述の図３（ｂ）参照）を、約９０°毎に４箇所設けてある。突起部は、孔部の奥までレール状に形成してある。そして、突起部は、第１のネジコア４ａと第２のネジコア４ｂがねじ切りを行いながら回転移動するために用いられる。
【００２１】
第１のネジコア４ａと第２のネジコア４ｂは、送信用アンテナ１００の共振周波数を調整するために用いられる。第１のネジコア４ａと第２のネジコア４ｂは、磁性体コア１と同様にＭｎ−Ｚｎ系フェライトからなる。そして、第１のネジコア４ａと第２のネジコア４ｂは、ほぼ円筒形状であり、外周面にねじ切りが施されている。また、第１のネジコア４ａと第２のネジコア４ｂの両端面（磁性体コア１に対面する端面とは逆の端面）には、矩形状の凹部１４ａ，１４ｂが形成される。作業者は、先端が矩形状に形成された調整用冶具を用いて第１のネジコア４ａと第２のネジコア４ｂの両方、又はいずれか一方を嵌合回転によって移動可能に、第１の孔部５ａ又は第２の孔部５ｂに保持する。そして、磁性体コア１とネジコアの相対位置が変化することにより、コア間（磁性体コア１とネジコア）の磁気結合度が調整されて、共振周波数の調整が容易に行えるようになる。ここで、ネジコアの材質は、Ｍｎ−Ｚｎ系フェライトに限定されず、Ｎｉ−Ｚｎ系フェライトや、金属系圧粉磁芯等を用いてもよい。また、ネジコアに具備された凹部の形状は、矩形状のみならず、＋（プラス形状）、−（マイナス形状）等に変更が可能である。さらに、共振周波数を十分に調整し得る磁気特性又はコアボリュームを有していれば、凹部を貫通孔にしても得られる効果は同様であり、この場合、コアの製造が容易になりコストを下げられるという付加的な利点が得られる。
【００２２】
次に、第１のベース２の構成例と電流経路について、図２を参照して説明する。図２（ａ）は、磁性体コア１と第１のベース２とを分解して、幅広面を上面視した例である。図２（ｂ）は、磁性体コア１と第１のベース２とを接着固定して、幅広面を上面視した例である。
【００２３】
図２（ａ）より、第１のベース２には、導線を絡げるための第１のハーネス端子７ａと第２のハーネス端子７ｂが植設されていることが分かる。磁性体コア１は、右方向の矢印Ｒに沿って第１のベース２に嵌め込まれ、接着剤等で固定される。第１のベース２には、チップコンデンサを搭載するためのコンデンサ搭載部８ａ，８ｂを備える。コンデンサ搭載部８ａの端子電極は、第１のハーネス端子７ａに接続してある。また、第１のベース２には、導電性の絡げ部１２が植設されている。絡げ部１２は、コンデンサ搭載部８ｂの端子電極に接続してある。コンデンサ搭載部８ａ，８ｂには、一般的な積層チップコンデンサ９が搭載されている。ただし、送信用アンテナ１００が使用する周波数帯域におけるインピーダンスを低くし、ハイパワー化するために、コンデンサ９の容量が大きく設定されており、その素子サイズが大型のものとなっている。
【００２４】
図２（ｂ）より、コンデンサ搭載部８ａ，８ｂがコンデンサ９を介して接続されることが分かる。第１のハーネス端子７ａと第２のハーネス端子７ｂには、外部機器／装置から延伸されたハーネスワイヤが接続される。そして、コンデンサ搭載部８ｂに植設される絡げ部１２に絡げられた導線１０ａは、第１のベース２の側面にある溝部６ａを介して磁性体コア１まで導かれ、コイル１１を形成する。磁性体コア１に巻回された導線は、第１のベース２の上面の溝部６ｂに沿って導線１０ｂとして、第２のハーネス端子７ｂに絡げられる。なお、導線１０ａ，１０ｂは説明のため別の符号を付けたが、同じ導線を表している。
【００２５】
ここで、送信用アンテナ１００に印加される電流は交流電流であるが、便宜上、交流電流の一方向に着目して説明する。外部より送信用アンテナ１００へ流入した交流電流Ｉは、第１のハーネス端子７ａを経て、コンデンサ９を通過する。その後、絡げ部１２に絡げられ、溝部６ａに沿う導線１０ａを介して、コイル１１を通過することで、コイル１１とコンデンサ９の直列共振回路を構成する。コイル１１を通過した交流電流Ｉは、溝部６ｂに沿う導線１０ｂを介して、第２のハーネス端子７ｂを経て外部に流出する。交流電流Ｉの他方向の流れは、上述した経路とは逆になる。
【００２６】
次に、第２のベース３の構成例について、図３を参照して説明する。図３（ａ）は、磁性体コア１の幅広面を上面視した、第２のベース３と第１のネジコア４ａと第２のネジコア４ｂの断面例を示す。図３（ｂ）は、第２のベース３の第１の孔部５ａと第２の孔部５ｂを正面視した際の構成例を示す。
【００２７】
図３（ａ）に示すように、第１の孔部５ａと第２の孔部５ｂには、ともに第１のネジコア４ａと第２のネジコア４ｂをねじ込むためのねじ山が形成されていない。その代わり、第１の孔部５ａと第２の孔部５ｂには、それぞれ突起部２１ａ，２１ｂが形成されている。第１のネジコア４ａ，第２のネジコア４ｂは、両端部に調整用の冶具をあてるための凹部１４ａ，１４ｂが形成される。ネジコアの両端部に凹部を形成することで、両方向で用いることができる。作業者が、調整用の冶具を用いて、第１のネジコア４ａを螺合回転させると、突起部２１ａにねじ山が形成され、第１のネジコア４ａを第１の孔部５ａに螺合回転可能に保持・固定できる。また、作業者が、調整用の冶具を用いて、第２のネジコア４ｂを螺合回転させると、突起部２１ｂにねじ山が形成され、第２のネジコア４ｂを第２の孔部５ｂに螺合回転可能に保持・固定できる。そして、ネジコア可動範囲２０は、第２のベース３に形成された第１の孔部５ａと第２の孔部５ｂの深さに相当しており、第１のネジコア４ａと第２のネジコア４ｂが移動可能な距離を示す。例えば、送信用アンテナ１００において、ネジコア可動範囲２０は５．０ｍｍである。
【００２８】
図３（ｂ）に示すように、第１の孔部５ａと第２の孔部５ｂにそれぞれ形成された突起部２１ａ，２１ｂは、ともに４個である。突起部２１ａ，２１ｂは、約９０°毎に第１の孔部５ａと第２の孔部５ｂの内周面に形成されている。なお、突起部の数は、４個に限定されることなく、第１のネジコア４ａと第２のネジコア４ｂを固定できるならば２個又は３個、あるいは５個以上であってもよい。また、孔部の数は、２個に限定されることなく、１個又は３個以上であってもよい。
【００２９】
次に、送信用アンテナ１００の製造工程の概略について説明する。ただし、以下に説明する送信用アンテナ１００の製造工程は一例であり、各工程を適宜入れ替えてもよい。
【００３０】
まず、複数本のハーネス端子の一部を植設した第１のベース２と、第１のネジコア４ａと第２のネジコア４ｂを収納して、保持するための第２のベース３を成形する。第１のベース２と第２のベース３は、非導電性かつ非磁性の樹脂を用いて形成される。また、第１のベース２には、磁性体コア１の一部を収納するための枠部が一体成型される。
【００３１】
次いで、平板の棒状に成形され、焼結された磁性体コア１に、絶縁層を形成する。本実施の形態例においては、絶縁層としてゴム製熱収縮チューブを被覆する。その後、磁性体コア１の一方の端部を第１のベース２に形成された枠部に挿通し、接着剤等によって設置固定する。また、磁性体コア１の他方の端部を第２のベース３に挿通し、接着剤等によって設置固定する。
【００３２】
さらに、磁性体コア１の周囲には、所望のインダクタンスを得るための巻き数が設定されたコイル１１が絶縁層を介した状態で巻きつけられる。コイル１１の末端部は、第１のベース２に植設されたハーネス端子に絡げられ、適宜半田固定などの処置が施される。また、前後して第１のベース２に形成されたコンデンサ搭載部８ａ，８ｂにコンデンサ９を載置し、半田固定等を行う。
【００３３】
その後、第１のネジコア４ａと第２のネジコア４ｂを、第２のベース３に形成された第１の孔部５ａと第２の孔部５ｂへ配置する。そして、コイル１１とコンデンサ９で構成される直列共振回路によって定まる共振周波数を検査する。仮に、所望の共振周波数が得られていない場合、作業者は、ネジコア４ａ又はネジコア４ｂを回転移動させて、共振周波数を調整する。こうして、調整作業が完了すると送信用アンテナ１００として完成となる。
【００３４】
送信用アンテナ１００は、第１の孔部５ａに配置された第１のネジコア４ａと、第２の孔部５ｂに配置された第２のネジコア４ｂとを螺合回転して位置を調整することで、コイル１１のインダクタンス値を変えて、送信用アンテナ１００の共振周波数を調整することができる。ここで、式（１）を参照して、コイル１１のインダクタンス値と送信用アンテナの共振周波数を調整する詳細について説明する。
共振周波数：ｆ０＝１／２π√（Ｌ×Ｃ）…式（１）
【００３５】
式（１）は、共振周波数：ｆ０を求めるための公式であり、Ｃ：コンデンサの容量成分の値が一定である時、Ｌ：インダクタンス値が大きくなれば、共振周波数：ｆ０は低周波数側へ推移する。つまり、第１のネジコア４ａと第２のネジコア４ｂを磁性体コア１に近づけるよう移動させると、２つのコア間（第１のネジコア４ａ、第２のネジコア４ｂと磁性体コア１）には磁気的な結合が生じ、インダクタンス値が増加する。このため、共振周波数：ｆ０は、低周波側へ調整される。逆に、第１のネジコア４ａと第２のネジコア４ｂを磁性体コア１から遠ざけるよう移動させると、２つのコア間は磁気的に疎結合となり、インダクタンス値が低下する。このため、共振周波数：ｆ０は高周波側へ調整される。
【００３６】
なお、Ｌ：インダクタンス値が一定の下、Ｃ：コンデンサの容量値を増減させて共振周波数：ｆ０を調整することも可能である。しかしながら、容量値が異なるコンデンサ素子を取り替えて共振周波数を調整することは経済的ではない。このため、第１のネジコア４ａと第２のネジコア４ｂを位置調整することで、インダクタンス値を変える制御が有効となる。
【００３７】
次に、第１のネジコア４ａと第２のネジコア４ｂの配置位置を変えた場合における、インダクタンス値を示す表について、図４を参照して説明する。第１のネジコア４ａと磁性体コア１との相対位置と、第２のネジコア４ｂと磁性体コア１との相対位置を変化させることによって、磁気結合度が変化し、インダクタンス値が変化する。この検証実験では、絶縁層を介して磁性体コア上に巻回したコイル１１の巻き数は５２ターンとし、コンデンサの容量値は10000［pF］とした。また、インダクタンスの測定周波数は、送信用アンテナ１００が目的とする共振周波数：125.000［kHz］とした。さらに、ネジコアの配置条件毎に、５個のサンプルを測定し、得られた測定値の平均値を結果として、図４に掲載した。
【００３８】
配置例１は、第１の孔部５ａと第２の孔部５ｂに、第１のネジコア４ａと第２のネジコア４ｂを配置しない場合の例である。このとき測定したインダクタンスは、160.124［μH］であった。
【００３９】
配置例２は、第１の孔部５ａに、第１のネジコア４ａを配置した場合の例である。第１のネジコア４ａは、磁性体コア１より離して配置した。このとき測定したインダクタンスは、160.451［μH］であった。
【００４０】
配置例３は、第１の孔部５ａに、第１のネジコア４ａを配置した場合の例である。ただし、第１のネジコア４ａは、磁性体コア１に最も近接させて配置した。このとき測定したインダクタンスは、162.242［μH］であった。
【００４１】
配置例４は、第１の孔部５ａに、第１のネジコア４ａを配置し、第２の孔部５ｂに、第２のネジコア４ｂを配置した場合の例である。第１のネジコア４ａと第２のネジコア４ｂは、磁性体コア１より離して配置した。このとき測定したインダクタンスは、160.863［μH］であった。
【００４２】
配置例５は、第１の孔部５ａに、第１のネジコア４ａを配置し、第２の孔部５ｂに、第２のネジコア４ｂを配置した場合の例である。ただし、第１のネジコア４ａは、磁性体コア１より離して配置した。そして、第２のネジコア４ｂは、磁性体コア１に最も近接させて配置した。このとき測定したインダクタンスは、163.230［μH］であった。
【００４３】
配置例６は、第１の孔部５ａに、第１のネジコア４ａを配置し、第２の孔部５ｂに、第２のネジコア４ｂを配置した場合の例である。第１のネジコア４ａと第２のネジコア４ｂは、磁性体コア１に最も近接させて配置した。このとき測定したインダクタンスは、165.342［μH］であった。
【００４４】
図４より、ネジコアを使用しない場合のインダクタンスと、ネジコアを２個（第１のネジコア４ａと第２のネジコア４ｂ）使用し、かつ双方のネジコアを磁性体コア１に最も近接させる場合のインダクタンスとの差に着目すると、インダクタンスは約5.0［μH］の範囲で任意に変えられることが分かる。この検証実験で作成した送信用アンテナ１００の仕様では、インダクタンス：5.0［μH］の差を、共振周波数の変化に換算すると、以下に示す差が生じる。
・ネジコアなしの場合：
ｆ０＝1/2π√（160.124［μH］×10000［pF］）＝125.887［kHz］
・ネジコアを２個使用し、磁性体コア１に最も近接させた場合：
ｆ０＝1/2π√（165.342［μH］×10000［pF］）＝123.965［kHz］
この差より、約1.9［kHz］の範囲内で共振周波数を調整することが可能となる。
【００４５】
ここで、参考までに、コイル１１の巻き数を、例えば５２ターンとし、±１ターンとした場合の共振周波数の変化を実験すると以下の結果が得られた。
・コイル１１の巻き数が５１ターンの場合：
ｆ０＝1/2π√（155.830［μH］×10000［pF］）＝127.560［kHz］
・コイル１１の巻き数が５２ターン（検証実験時（図４参照）の巻き数）の場合：
ｆ０＝1/2π√（162.000［μH］×10000［pF］）＝125.107［kHz］
・コイル１１の巻き数が５３ターンの場合：
ｆ０＝1/2π√（168.290［μH］×10000［pF］）＝122.747［kHz］
【００４６】
得られた共振周波数の値より、５２ターンと５１ターンの共振周波数の差は約2.45［kHz］であり、５３ターンと５２ターンの共振周波数の差は約2.36［kHz］であることが示された。このため、所望の共振周波数：125.000［kHz］の近傍では、コイル１１の巻き数を、巻き増ししたり、巻き解いたりして変えるよりも、回転調整によってネジコアの位置を変える方が無段階でインダクタンスの値を変更することができる。このことから、高い精度で、かつ容易に共振周波数を調整できることが分かる。
【００４７】
したがって、送信用アンテナ１００が完成後の特性検査において、共振周波数の調整が必要となった場合であっても、第１のネジコア４ａと第２のネジコア４ｂの位置を回転調整することによって容易に、かつ確実に調整作業を行うことが可能となる。
【００４８】
以上説明したように、本実施の形態に係る送信用アンテナ１００の特徴点は、従来共振周波数の調整を行うために第１のベース２に配置していた第１のネジコア４ａと第２のネジコア４ｂを、磁性体コア１の他方の端部に配設した第２のベース３内に配置するよう変更したことである。作業者は、送信用アンテナ１００の共振周波数を測定器で確認しながら、調整用冶具等を用いて第１のネジコア４ａと第２のネジコア４ｂの配置を回転調整する。ネジコアの位置をこのように調整することができるため、従来の送信用アンテナのように、各種端子やハーネス端子等が煩雑に配置されている端子ベースにネジコアが配置されている構造と比較して、共振周波数の調整作業が容易となるという効果がある。
【００４９】
また、第２のベース３（共振周波数の調整機構）と第１のベース２とは独立して別部位とした。このため、従来のようにハーネス端子やコンデンサ搭載部と同じベース（第１のベース２）に、ネジコアをねじ込む孔部を設けるようにしていない。結果として、第２のベース３のネジコア可動範囲２０を広く確保することができ、共振周波数の調整を簡単に行えるようになった。このため、第１のネジコア４ａと第２のネジコア４ｂを複数個配置することができるようになり、コイルの巻き数の増減よりも詳細に共振周波数の調整を行うことができるという効果がある。また、第１のベース２と第２のベース３を別部位とすることにより、ベースの成型を容易に行うことができるという効果がある。
【００５０】
また、第１のベース２には大容量のコンデンサ９を搭載することが可能となったため、送信用アンテナ１００が使用する周波数帯域におけるインピーダンス：Ｚを低くすることができる。このため、送信用アンテナ１００のハイパワー化を達成できるという効果がある。
【００５１】
また、第１のネジコア４ａと第２のネジコア４ｂを第２のベース３中に格納できる。このため送信用アンテナ１００の小型化とユニット化を実現できるという効果がある。また、送信用アンテナ１００の設計の自由度も向上するという効果がある。また、孔部に形成した突起部２１ａ，２１ｂは、ネジコアに切られたネジがいかなる形状であっても、確実にネジコアを固定することができる。このように、孔部に突起部を形成したことにより、ネジコアの種類に依存せずに、ネジコアを用いることができるという効果がある。ただし、ネジコアに合わせて、孔部に予めネジ切りがされていてもよい。
【００５２】
また、送信用アンテナ１００を自動車や家屋等のドアに設置する前に、ネジコアの位置調整を行い、所望の共振周波数に合わせることができる。したがって、共振周波数に合った周波数で送信用アンテナ１００に交流電流を印加できるため、交流抵抗による損失を最少にするという効果がある。また、ネジコアの位置調整を行うことで、品質のバラつきを抑えた送信用アンテナを構成できるため、磁界の伝播範囲を安定して形成できるという効果がある。
【００５３】
なお、上述した実施の形態例によれば、孔部を２箇所（第１の孔部５ａと第２の孔部５ｂ）設け、２つのネジコア（第１のネジコア４ａと第２のネジコア４ｂ）を使用した場合における構成例とその組合せについて説明したが、これに限定されることはない。送信用アンテナの共振周波数の調整範囲、その他の仕様に合わせて、孔部、ネジコアの数や組み合わせを適宜変更することが可能である。例えば、３つ以上のネジコアや孔部を形成するようにしてもよい。このように孔部を形成したとしても、少なくとも１つ以上の孔部にネジコアが螺合されて、保持されることで共振周波数の調整を行うことができる。このため、より詳細に共振周波数を調整できるという効果がある。
【００５４】
また、上述した実施の形態に係る送信用アンテナは、自動車や家屋等のドアを施錠したり、開錠したりするために用いるようにしたが、その他の用途に用いても同様の機能、効果を得ることができることは言うまでもない。
【図面の簡単な説明】
【００５５】
【図１】本発明の一実施の形態における送信用アンテナの例を示した斜視図である。
【図２】本発明の一実施の形態における送信用アンテナの第１のベース付近を拡大した例を示した構成図である。
【図３】本発明の一実施の形態における送信用アンテナの第２のベース付近を拡大した例を示した構成図である。
【図４】本発明の一実施の形態におけるネジコアの配置条件とインダクタンスの例を示した説明図である。
【符号の説明】
【００５６】
１…磁性体コア、２…第１のベース、３…第２のベース、４ａ，４ｂ…ネジコア、５ａ，５ｂ…孔部、６ａ，６ｂ…溝部、７ａ…第１のハーネス端子，７ｂ…第２のハーネス端子、８ａ，８ｂ…コンデンサ搭載部、９…コンデンサ、１０ａ，１０ｂ…電流経路、１１…コイル、１２…絡げ部、１４ａ，１４ｂ…凹部、２１ａ，２１ｂ…突起部、１００…送信用アンテナ
【図１】
2008022056.tif 000003
【図２】
2008022056.tif 000004
【図３】
2008022056.tif 000005
【図４】
2008022056.tif 000006